(57)【要約】【課題】より簡易な構成において十分な検出感度でカラーキラーの判定を行う。【解決手段】カラーバーストの振幅を検出するバースト振幅検出部２２と、検出された振幅を保持し、所定時間遅延させて出力する遅延部２４と、バースト振幅検出部２２からの出力と、遅延部２４からの出力と、の差分を算出する減算器２６と、バースト振幅検出部２２からの出力と第１閾値とを比較して、バースト振幅検出部２２からの出力が第１閾値より小さいか否かを判定する第１比較器２８と、減算器２６からの出力と第２閾値とを比較して、減算器２６からの出力が第２閾値より大きいか否かを判定する第２比較器３０と、を備え、第１比較器２８においてバースト振幅検出部２２からの出力が第１閾値より小さいと判定された場合、又は、第２比較器３０において減算器２６からの出力が第２閾値より大きいと判定された場合に複合映像信号の色成分をマスクする。【選択図】図２
2009094924.tif 000002
【特許請求の範囲】
【請求項１】
色成分及び輝度成分の信号を含む複合映像信号を処理する際に色成分をマスクするカラーキラー回路であって、
前記複合映像信号に含まれるカラーバーストの振幅を検出するバースト振幅検出部と、
前記バースト振幅検出部で検出されたカラーバーストの振幅を保持し、所定時間遅延させて出力する遅延部と、
前記バースト振幅検出部からの出力と、前記遅延部からの出力と、の差分を算出する減算器と、
前記バースト振幅検出部からの出力と第１閾値とを比較して、前記バースト振幅検出部からの出力が前記第１閾値より小さいか否かを判定する第１比較器と、
前記減算器からの出力と第２閾値とを比較して、前記減算器からの出力が前記第２閾値より大きいか否かを判定する第２比較器と、を備え、
前記第１比較器において前記バースト振幅検出部からの出力が前記第１閾値より小さいと判定された場合、又は、前記第２比較器において前記減算器からの出力が前記第２閾値より大きいと判定された場合に前記複合映像信号の色成分をマスクすることを特徴とするカラーキラー回路。
【請求項２】
請求項１に記載のカラーキラー回路であって、
前記バースト振幅検出部から出力されるカラーバーストの振幅を前記複合映像信号に含まれる複数の水平ラインに亘って平均化するバースト平均化部を備え、
前記第１比較器は、前記バースト振幅検出部からの出力の代わりに前記バースト平均化部からの出力と第１閾値とを比較して、前記バースト平均化部からの出力が前記第１閾値より小さいか否かを判定し、
前記第１比較器において前記バースト平均化部からの出力が前記第１閾値より小さいと判定された場合、又は、前記第２比較器において前記減算器からの出力が前記第２閾値より大きいと判定された場合に前記複合映像信号の色成分をマスクすることを特徴とするカラーキラー回路。
【請求項３】
請求項１に記載のカラーキラー回路であって、
前記減算器からの出力を前記複合映像信号に含まれる複数の水平ラインに亘って平均化するノイズ平均化部を備え、
前記第２比較器は、前記減算器からの出力の代わりに前記ノイズ平均化部からの出力と第２閾値とを比較して、前記ノイズ平均化部からの出力が前記第２閾値より大きいか否かを判定し、
前記第１比較器において前記バースト振幅検出部からの出力が前記第１閾値より小さいと判定された場合、又は、前記第２比較器において前記ノイズ平均化部からの出力が前記第２閾値より大きいと判定された場合に前記複合映像信号の色成分をマスクすることを特徴とするカラーキラー回路。
【請求項４】
請求項１〜３のいずれか１つに記載のカラーキラー回路であって、
前記第１比較器は、
前記バースト振幅検出部からの出力又は前記バースト平均化部からの出力が前記第１閾値より小さいと判定された場合に前記第１閾値をより小さい値に設定し、
前記バースト振幅検出部からの出力又は前記バースト平均化部からの出力が前記第１閾値以上と判定された場合に前記第１閾値をより大きい値に設定することを特徴とするカラーキラー回路。
【請求項５】
請求項１〜４のいずれか１つに記載のカラーキラー回路であって、
前記第２比較器は、
前記減算器からの出力又は前記ノイズ平均化部からの出力が前記第２閾値より大きいと判定された場合に前記第２閾値をより大きい値に設定し、
前記減算器からの出力又は前記ノイズ平均化部からの出力が前記第２閾値以下と判定された場合に前記第２閾値をより小さい値に設定することを特徴とするカラーキラー回路。
【発明の詳細な説明】
【技術分野】
【０００１】
本発明は、色成分及び輝度成分の信号を含む複合映像信号を処理する際に色成分をマスクするカラーキラー回路に関する。
【背景技術】
【０００２】
ＮＴＳＣ方式等のビデオ信号（複合映像信号）は、図９及び図１０に示すように、１フィールド分のビデオ信号ＳINには垂直同期期間ＴV、水平ブランキング期間ＴH及び映像信号期間ＴSを含んでおり、さらに１水平ライン分のビデオ信号ＳINには水平ブランキング期間ＴH、カラーバースト期間ＴC及び有効映像信号期間ＴIを含んでいる。なお、図９及び図１０では説明を明確にするために実際のビデオ信号ＳINの各期間の比率を変えて表している。
【０００３】
このようなビデオ信号を映像として表示する処理を行う際に、入力されるビデオ信号の強度が弱い場合や、ビデオ信号の強度に対するノイズが大きい場合に、映像信号に対して通常の処理を行うと色のむら等が発生して映像が乱れてしまうことがある。そこで、色成分の出力を遮断し、輝度のみのモノクロ映像のみを表示させる場合がある。
【０００４】
このように色成分をマスクして処理するためにカラーキラー回路が用いられている。カラーキラー回路は、図１１に示すように、アナログ／デジタル変換器１０、バースト振幅検出部１２、ノイズ検出部１４及びオア素子１６を含んで構成される。
【０００５】
入力された映像信号はアナログ／デジタル変換器１０においてデジタル信号に変換され、バースト振幅検出部１２及びノイズ検出部１４に入力される。アナログ／デジタル変換器１０は、映像信号に含まれるカラーバーストの周波数の４倍のサンプリングレートで信号をサンプリングする。このとき、図１２に示すように、カラーバーストの１周期のピークにサンプリング点が一致するようにサンプリングのタイミングを調整する。
【０００６】
バースト振幅検出部１２は、デジタル化された映像信号を受けて、１水平ラインの映像信号毎にカラーバーストの振幅を抽出する。バースト振幅検出部１２は、抽出した振幅が予め設定された第１閾値より小さいか否かを判定する。抽出した振幅が予め設定された第１閾値より小さい場合にはオア素子１６への出力をハイレベルとし、そうでない場合にはローレベルとする。
【０００７】
ノイズ検出部１４は、デジタル化された映像信号を受けて、映像信号に重畳されているノイズの強度を求める。ノイズの強度は、入力された映像信号の平均強度が予め設定された第２閾値よりも小さいか否かで推定することができる。ノイズ検出部１４は、入力された映像信号の平均強度が予め設定された第２閾値よりも小さい場合にはオア素子１６への出力をハイレベルとし、そうでない場合にはローレベルとする。
【０００８】
オア素子１６は、バースト振幅検出部１２及びノイズ検出部１４からの出力を受けて、それらの出力の少なくとも一方がハイレベルのときにキラー判定信号をハイレベルとし、それらの出力の両方がローレベルのときにキラー判定信号をローレベルとする。このようにして、入力されるビデオ信号の強度が弱い場合や、ビデオ信号の強度に対するノイズが大きい場合に、キラー判定信号に基づいてカラー信号をマスクして処理するか否かを判定することができる。
【０００９】
【特許文献１】特開平１１−３０８６３２号公報
【発明の開示】
【発明が解決しようとする課題】
【００１０】
しかしながら、上記従来のカラーキラー回路では、カラーバーストの最大ピーク値を抽出するためのバースト振幅検出部１２の他に、映像信号の電界強度が所定の閾値よりも小さい弱電界状態にあるか否かを調べるためのノイズ検出部１４が必要となる。
【００１１】
そのため、カラーキラー回路の回路構成が複雑となり、回路規模も大きくなってしまう問題があった。これに伴って、カラーキラー回路を含む装置の製造コストが増大するという問題もある。
【００１２】
そこで、本発明は、より簡易な構成において十分な検出感度でカラーキラーの判定を行うことができるカラーキラー回路を提供することを目的とする。
【課題を解決するための手段】
【００１３】
本発明は、色成分及び輝度成分の信号を含む複合映像信号を処理する際に色成分をマスクするカラーキラー回路であって、前記複合映像信号に含まれるカラーバーストの振幅を検出するバースト振幅検出部と、前記バースト振幅検出部で検出されたカラーバーストの振幅を保持し、所定時間遅延させて出力する遅延部と、前記バースト振幅検出部からの出力と、前記遅延部からの出力と、の差分を算出する減算器と、前記バースト振幅検出部からの出力と第１閾値とを比較して、前記バースト振幅検出部からの出力が前記第１閾値より小さいか否かを判定する第１比較器と、前記減算器からの出力と第２閾値とを比較して、前記減算器からの出力が前記第２閾値より大きいか否かを判定する第２比較器と、を備え、前記第１比較器において前記バースト振幅検出部からの出力が前記第１閾値より小さいと判定された場合、又は、前記第２比較器において前記減算器からの出力が前記第２閾値より大きいと判定された場合に前記複合映像信号の色成分をマスクすることを特徴とする。
【００１４】
このような構成とすることによって、映像信号の振幅を所定の閾値と比較する弱電界検出処理を行うことなく、映像信号に含まれるカラーバースト同士を比較することによりノイズが含まれているか否かを判定することができる。これにより、簡易な構成において十分な検出感度でカラーキラーの判定を行うことができる。
【００１５】
ここで、前記バースト振幅検出部から出力されるカラーバーストの振幅を前記複合映像信号に含まれる複数の水平ラインに亘って平均化するバースト平均化部を備え、前記第１比較器は、前記バースト振幅検出部からの出力の代わりに前記バースト平均化部からの出力と第１閾値とを比較して、前記バースト平均化部からの出力が前記第１閾値より小さいか否かを判定し、前記第１比較器において前記バースト平均化部からの出力が前記第１閾値より小さいと判定された場合、又は、前記第２比較器において前記減算器からの出力が前記第２閾値より大きいと判定された場合に前記複合映像信号の色成分をマスクすることがより好適である。
【００１６】
このように、判定対象となるカラーバーストの振幅を複数の水平ラインに亘って平均化することによって、より確実に映像信号の強度が弱いか否かを判定することができる。
【００１７】
また、前記減算器からの出力を前記複合映像信号に含まれる複数の水平ラインに亘って平均化するノイズ平均化部を備え、前記第２比較器は、前記減算器からの出力の代わりに前記ノイズ平均化部からの出力と第２閾値とを比較して、前記ノイズ平均化部からの出力が前記第２閾値より大きいか否かを判定し、前記第１比較器において前記バースト振幅検出部からの出力が前記第１閾値より小さいと判定された場合、又は、前記第２比較器において前記ノイズ平均化部からの出力が前記第２閾値より大きいと判定された場合に前記複合映像信号の色成分をマスクすることがより好適である。
【００１８】
このように、前記減算器からの出力を複数の水平ラインに亘って平均化することによって、より確実に映像信号の強度に対するノイズが大きいか否かを判定することができる。
【００１９】
さらに、前記第１比較器は、前記バースト振幅検出部からの出力又は前記バースト平均化部からの出力が前記第１閾値より小さいと判定された場合に前記第１閾値をより小さい値に設定し、前記バースト振幅検出部からの出力又は前記バースト平均化部からの出力が前記第１閾値以上と判定された場合に前記第１閾値をより大きい値に設定することも好適である。また、前記第２比較器は、前記減算器からの出力又は前記ノイズ平均化部からの出力が前記第２閾値より大きいと判定された場合に前記第２閾値をより大きい値に設定し、前記減算器からの出力又は前記ノイズ平均化部からの出力が前記第２閾値以下と判定された場合に前記第２閾値をより小さい値に設定することも好適である。
【発明の効果】
【００２０】
本発明によれば、より簡易な構成において十分な検出感度でカラーキラーの判定を行うことができる。
【発明を実施するための最良の形態】
【００２１】
本発明の実施の形態におけるカラーキラー回路１００は、図１に示すように、バーストゲートパルス生成部１０２、カラーキラー検出部１０４及びカラーキラー処理部１０６を含んで構成される。カラーキラー回路１００は、図９及び図１０に示すようなカラーバーストを含むＮＴＳＣ方式のビデオ信号等の映像信号を処理するものである。
【００２２】
バーストゲートパルス生成部１０２は、前段部の同期信号検出部（図示しない）から水平同期信号のタイミングを示す水平同期タイミングパルスＨｓｙｎｃを受けて、カウンタによるタイミング検出を開始する。そして、水平同期タイミングパルスＨｓｙｎｃの立ち上がりのタイミングから所定の時間後、すなわち映像信号のカラーバースト期間中にカラーバーストの１周期のパルス幅を有するバーストゲートパルスＢＧＰを生成してカラーキラー検出部１０４へ出力する。
【００２３】
カラーキラー検出部１０４は、図２に示すように、アナログ／デジタル変換器２０、バースト振幅検出部２２、遅延部２４、減算器２６、比較器２８，３０及びオア素子３２を含んで構成される。カラーキラー検出部１０４は、カラーキラー処理部１０６において映像信号のカラー信号をマスクして処理するか否かを判断する機能を有する。
【００２４】
アナログ／デジタル変換器２０は、映像信号を受けて、映像信号をサンプリングしてデジタル信号に変換して出力する。このとき、少なくともカラーバーストの周波数の４倍の周波数でサンプリングを行う。このとき、ピーク検出によりカラーバーストの振幅のピーク位置を検出し、図３に示すように、カラーバーストの各ピーク位置がサンプリング点となるようにサンプリングを行う。
【００２５】
バースト振幅検出部２２は、アナログ／デジタル変換器２０によりサンプリングされた映像信号及びバーストゲートパルスＢＧＰを受けて、カラーバーストのピーク値を抽出して出力する。バーストゲートパルスＢＧＰは、カラーバースト期間においてカラーバーストの１周期だけのパルス幅を有する信号である。したがって、バーストゲートパルスＢＧＰがハイレベルとなっている期間に含まれるサンプリング点のうち最大のサンプリング値をカラーバーストのピーク値として検出して出力する。
【００２６】
例えば、図３に示したカラーバーストのサンプリング例では、バーストゲートパルスＢＧＰが立ち上がっている期間に含まれるサンプリング点Ｓ４，Ｓ５，Ｓ６，Ｓ７のうち最大値を有するサンプリング点Ｓ６のサンプリング値Ｄ６をカラーバーストのピーク値Ｐ１として抽出して出力する。
【００２７】
比較器２８は、バースト振幅検出部２２から出力されるカラーバーストのピーク値Ｐ１を受けて、ピーク値Ｐ１が所定の振幅判定閾値（第１閾値）ＴＨ１より小さいか否かを判定する。振幅判定閾値ＴＨ１は、カラーキラー回路１００に含まれるレジスタ（図示しない）に予め記憶させておくことができる。比較器２８は、ピーク値Ｐ１が振幅判定閾値ＴＨ１よりも小さければ出力Ｃ１をハイレベルとし、そうでなければ出力Ｃ１をローレベルとする。
【００２８】
なお、比較器２８の振幅判定閾値ＴＨ１にヒステリシス特性を持たせてもよい。すなわち、図４に示すように、出力Ｃ１をローレベルからハイレベルとする際の振幅判定閾値ＴＨ１ａが、出力Ｃ１をハイレベルからローレベルとする際の振幅判定閾値ＴＨ１ｂ（＝ＴＨ１ａ＋ΔＴＨ１）よりも小さくなるように設定する。これにより、ピーク値Ｐ１が振幅判定閾値ＴＨ１ａよりも小さくなって出力Ｃ１をハイレベルとした後は、振幅判定閾値ＴＨ１ｂを判断基準値とすることによって、ピーク値Ｐ１が振幅判定閾値ＴＨ１ｂ以上となるまで出力Ｃ１が再びローレベルとなることがなくなる。これにより、振幅判定閾値ＴＨ１ａの近傍でピーク値Ｐ１が時間的にばらついた場合でも比較器２８の出力Ｃ１がローレベルとハイレベルとに不要に切り替わることを防ぐことができる。
【００２９】
遅延部２４は、バースト振幅検出部２２から出力されるカラーバーストのピーク値を受けて、外部から入力されるシステムクロック等の基準クロックをカウントし、カラーバーストのピーク値Ｐ１を映像信号の１水平期間だけ遅延させて出力する。なお、本実施の形態では、遅延時間を１水平期間としたが、水平期間の定数倍であればよい。
【００３０】
減算器２６は、バースト振幅検出部２２から出力されるカラーバーストのピーク値Ｐ１と、遅延部２４から出力される１水平期間だけ遅延されたピーク値Ｐ０と、を受けて、それらの値の差分を算出して出力する。
【００３１】
この減算器２６の処理により、図５に示すように、前の水平ラインに含まれるカラーバーストのピーク値Ｐ０と、現在の水平ラインに含まれるカラーバーストのピーク値Ｐ１と、の差分ΔＰ（＝Ｐ１−Ｐ０）が求められる。映像信号に重畳されているノイズは時間に対して一定でないランダムノイズであるので、ノイズが大きいほど、前の水平ラインに含まれるカラーバーストのピーク値Ｐ０に含まれるノイズ成分と、現在の水平ラインに含まれるカラーバーストのピーク値Ｐ１に含まれるノイズ成分と、には差が生じ易く、ピーク値のばらつきが大きくなる傾向がある。そこで、ノイズが大きいほど、これらのピーク値の差分値ΔＰは大きくなる可能性が高くなる。
【００３２】
比較器３０は、減算器２６から出力されるピーク値の差分値ΔＰを受けて、差分値ΔＰが所定のノイズ判定閾値（第２閾値）ＴＨ２より大きいか否かを判定する。ノイズ判定閾値ＴＨ２は、カラーキラー回路１００に含まれるレジスタ（図示しない）に予め記憶させておくことができる。比較器３０は、差分値ΔＰがノイズ判定閾値ＴＨ２よりも大きければ出力Ｃ２をハイレベルとし、そうでなければ出力Ｃ２をローレベルとする。
【００３３】
なお、比較器２８と同様に、振幅判定閾値ＴＨ２にヒステリシス特性を持たせてもよい。すなわち、図６に示すように、出力Ｃ２をローレベルからハイレベルとする際の振幅判定閾値ＴＨ２ａが、出力Ｃ２をハイレベルからローレベルとする際の振幅判定閾値ＴＨ２ｂ（＝ＴＨ２ａ−ΔＴＨ２）よりも大きくなるように設定する。これにより、差分値ΔＰが振幅判定閾値ＴＨ２ａよりも大きくなって出力Ｃ２をハイレベルとした後は、振幅判定閾値ＴＨ２ｂを判断基準値とすることによって、差分値ΔＰが振幅判定閾値ＴＨ２ｂ以下となるまで出力Ｃ２が再びローレベルとなることがなくなる。これにより、振幅判定閾値ＴＨ２ａの近傍で差分値ΔＰが時間的にばらついた場合でも比較器３０の出力Ｃ２がローレベルとハイレベルとに不要に切り替わることを防ぐことができる。
【００３４】
オア素子３２は、比較器２８の出力Ｃ１と比較器３０の出力Ｃ２を受けて、それらの論理和を演算してキラー判定信号Ｃ３として出力する。すなわち、出力Ｃ１及び出力Ｃ２のいずれか一方がハイレベルであればキラー判定信号Ｃ３はハイレベルとなり、そうでなければキラー判定信号Ｃ３はローレベルとなる。キラー判定信号Ｃ３は、カラーキラー処理部１０６へ入力される。
【００３５】
カラーキラー処理部１０６は、映像信号から分離された色信号とキラー判定信号Ｃ３を受信して、キラー判定信号Ｃ３に応じて色信号をマスクする処理を行う。カラーキラー処理部１０６へ入力される色信号は、カラーキラー回路１００より前段の処理回路で映像信号から輝度信号と共に分離され、デジタル変換されたものとすることができる。ただし、デジタル化は行っても行わなくてもよい。カラーキラー処理部１０６は、キラー判定信号Ｃ３がハイレベルであれば色信号を出力せず、キラー判定信号Ｃ３がローレベルであれば色信号を後段の処理回路（図示しない）へ出力する。
【００３６】
後段の処理回路では、色信号がマスクされていなければ色信号を含めたカラー映像を再生し、色信号がマスクされていれば映像信号から分離された輝度信号のみからモノクロ映像を再生する処理を行う。ただし、後段の処理回路における処理はこれに限定されるものではない。
【００３７】
以上のように、カラーキラー回路１００によれば、より簡易な構成において十分な検出感度でカラーキラーの判定を行うことができ、映像信号の強度が低いときやノイズが大きいときに色信号をマスクして処理を行うことが可能となる。
【００３８】
＜変型例１＞
本変型例におけるカラーキラー回路は、カラーキラー回路１００と同様の全体構成を備えるが、図７に示すように、カラーキラー検出部１０４が平均化部３４，３６を含んで構成される点で異なっている。
【００３９】
平均化部３４は、バースト振幅検出部２２から出力されるカラーバーストのピーク値Ｐ１を複数の水平ラインに亘って平均化する。例えば、映像信号の１フレームに含まれる有効な水平ラインに亘って平均化を行う。有効な水平ラインとは、映像信号に含まれる垂直ブランキング期間に含まれる水平ライン等を除いた、映像として有効な信号を含んだ水平ラインのことをいう。また、映像信号に含まれる有効な水平ラインについて複数のフレームに亘って平均化を行ってもよい。
【００４０】
具体的には、映像信号の１フレームにおいて第１０水平ラインから第１３７水平ラインまでの１２８ライン分が有効な水平ラインであり、平均化部３４に付設されたレジスタ（図示しない）に設定される値ＡＣＣ＿ＦＲＡＭＥ（２ビット）で図８に示すように定められるフレーム数に亘って平均化を行う場合、平均値Ｐ１ａは数式１で行うことができる。
【００４１】
ＮＴＳＣ信号では１フレームの総水平ライン数は５２５本であり、その中で、カラーバーストがのっているラインは、第１０水平ラインから第２６３水平ラインと、第２７３水平ラインから第５２５水平ラインとなっている。今回は、回路の簡易化のため、１フレーム中で、第１０水平ラインから第１３７水平ラインまでを検出に用いている。
【００４２】
【数１】
2009094924.tif 000003
【００４３】
平均化部３４の出力Ｐ１ａは比較器２８に入力される。比較器２８での処理は上記実施の形態と同様である。このとき、カラーバーストのピーク値Ｐ１が平均化されているので水平ライン毎のピーク値Ｐ１のばらつきによる処理の不安定性を軽減することができる。
【００４４】
平均化部３６は、減算器２６から出力されるカラーバーストのピーク値の差分ΔＰを複数の水平ラインに亘って平均化する。例えば、映像信号の１フレームに含まれる有効な水平ラインに亘って平均化を行う。また、映像信号に含まれる有効な水平ラインについて複数のフレームに亘って平均化を行ってもよい。
【００４５】
上記のように、映像信号の１フレームにおいて第１０水平ラインから第１３７水平ラインまでの１２８ライン分が有効な水平ラインであり、平均化部３６に付設されたレジスタ（図示しない）に設定される値ＡＣＣ＿ＦＲＡＭＥ（２ビット）で図８に示すように定められるフレーム数に亘って平均化を行う場合、平均値Ｐ２AVEは数式２で行うことができる。
【００４６】
【数２】
2009094924.tif 000004
【００４７】
平均化部３６の出力ΔＰａは比較器３０に入力される。比較器３０での処理は上記実施の形態と同様である。このとき、差分値ΔＰが平均化されているので水平ライン毎の差分値ΔＰのばらつきによる処理の不安定性を軽減することができる。特に、ノイズが大きい場合には水平ライン毎の差分値ΔＰの分散値も大きくなるので比較器３０においてノイズの強度判定にばらつきが生じ易いが、差分値ΔＰを複数の水平ラインに亘って平均化することによって判定のばらつきも抑制することができる。
【００４８】
なお、平均化部３４，３６は同時に設けてもよいし、いずれか一方を設けてもよい。平均化部３４，３６のいずれか一方を設けてもカラーキラー回路２００の安定性を高める作用を得ることができる。
【図面の簡単な説明】
【００４９】
【図１】本発明の実施の形態におけるカラーキラー回路の構成を示すブロック図である。
【図２】本発明の実施の形態におけるカラーキラー検出部の構成を示すブロック図である。
【図３】本発明の実施の形態におけるサンプリング方法を説明する図である。
【図４】本発明の実施の形態における比較器のヒステリシス特性を説明する図である。
【図５】本発明の実施の形態における差分演算方法を説明する図である。
【図６】本発明の実施の形態における比較器のヒステリシス特性を説明する図である。
【図７】実施の形態の変形例におけるカラーキラー検出部の構成を示すブロック図である。
【図８】実施の形態の変形例におけるレジスタ値ＡＣＣ＿ＦＲＡＭＥと平均化フレーム数との関係を示す図である。
【図９】映像信号の構成を示す図である。
【図１０】映像信号の構成を示す図である。
【図１１】従来技術におけるカラーキラー回路の構成を示すブロック図である。
【図１２】サンプリング方法を説明する図である。
【符号の説明】
【００５０】
１０  デジタル変換器、１２  バースト振幅検出部、１４  ノイズ検出部、１６  オア素子、２０  デジタル変換器、２２  バースト振幅検出部、２４  遅延部、２６  減算器、２８，３０  比較器、３２  オア素子、３４，３６  平均化部、１００，２００  カラーキラー回路、１０２  バーストゲートパルス生成部、１０４  カラーキラー検出部、１０６  カラーキラー処理部。
【図１】
2009094924.tif 000005
【図２】
2009094924.tif 000006
【図３】
2009094924.tif 000007
【図４】
2009094924.tif 000008
【図５】
2009094924.tif 000009
【図６】
2009094924.tif 000010
【図７】
2009094924.tif 000011
【図８】
2009094924.tif 000012
【図９】
2009094924.tif 000013
【図１０】
2009094924.tif 000014
【図１１】
2009094924.tif 000015
【図１２】
2009094924.tif 000016